(57)【要約】【課題】表示された画像を分割し、分割した画像の１つを他の画像と重なるように容易に移動して表示する。【解決手段】本発明の表示装置３は、１つの元画像から分割された複数の分割画像を取得する送受信部３１と、送受信部３１が取得した分割画像のうちの１つである移動可能画像を、該移動可能画像以外の分割画像である固定画像と重ねるように、移動可能画像と固定画像との境界をなす分割線に対して斜め方向に移動させ、移動した移動可能画像と上記固定画像とが重なった部分には該固定画像が表示されるように、移動可能画像および固定画像を表示部３４に表示させる表示画像制御部３２と、を備えている。これにより、分割線に対して斜め方向に移動可能画像を移動できるので、移動可能画像を固定画像と重ねるように容易に移動して表示することができる。【選択図】図１
2011070438.tif 000002
【特許請求の範囲】
【請求項１】
１つの元画像から分割された複数の分割画像を取得する分割画像取得手段と、
上記分割画像取得手段が取得した分割画像のうちの１つである移動可能画像を、該移動可能画像以外の上記分割画像である固定画像と重ねるように、上記移動可能画像と上記固定画像との境界をなす分割線に対して斜め方向に移動させる分割画像移動手段と、
上記分割画像移動手段によって移動した移動可能画像と上記固定画像とが重なった部分には該固定画像が表示されるように、上記移動可能画像および上記固定画像を表示部に表示させる表示制御手段と、を備えていることを特徴とする表示装置。
【請求項２】
上記元画像を取得する元画像取得手段と、
上記元画像取得手段が取得した元画像を分割線によって分割して、上記複数の分割画像を作成する分割画像作成手段と、を備え、
上記分割画像取得手段は、上記分割画像作成手段が作成した分割画像を取得することを特徴とする請求項１に記載の表示装置。
【請求項３】
上記分割線の位置を示す情報である分割線情報を取得する分割線情報取得手段を備え、
上記分割画像作成手段は、上記分割線情報取得手段が取得した分割線情報が示す分割線によって、上記元画像を分割するものであることを特徴とする請求項２に記載の表示装置。
【請求項４】
上記分割画像取得手段が、行列によって表現された元画像が、行方向の行方向分割線と列方向の列方向分割線とを上記分割線として、４つに分割された分割画像を取得したとき、
上記表示制御手段は、上記分割画像移動手段が上記移動可能画像を移動させると、該移動可能画像と上記行方向分割線を挟んで隣接している分割画像を、該移動可能画像の行方向の移動距離と同距離だけ、行方向に移動させるとともに、該移動可能画像と上記列方向分割線を挟んで隣接している分割画像を、該移動可能画像の列方向の移動距離と同距離だけ、列方向に移動させて、表示させることを特徴とする請求項１に記載の表示装置。
【請求項５】
上記表示制御手段は、上記移動可能画像の表示色と、上記固定画像の表示色とを異ならせることを特徴とする請求項１〜４のいずれか１項に記載の表示装置。
【請求項６】
上記移動可能画像の倍率変更指示を受け付ける受付部と、
上記受付部が上記倍率変更指示を受け付けると、上記移動可能画像の倍率が変更された画像である倍率変更画像を作成するとともに、上記固定画像の倍率変更画像を、上記移動可能画像の倍率変更画像と同じ倍率で作成する倍率変更画像作成手段と、を備え、
上記表示制御手段は、上記倍率変更画像作成手段が作成した上記移動可能画像の倍率変更画像および上記固定画像の倍率変更画像を、倍率変更する前の上記移動可能画像および上記固定画像と同じ配置で上記表示部に表示させることを特徴とする請求項１〜５のいずれか１項に記載の表示装置。
【請求項７】
１つの元画像から分割された複数の分割画像を送信するデータ送信部を備えたサーバ装置と、
上記サーバ装置の上記データ送信部から送信された上記分割画像を取得する分割画像取得手段と、上記分割画像取得手段が取得した分割画像のうちの１つである移動可能画像を、該移動可能画像以外の上記分割画像である固定画像と重ねるように、上記移動可能画像と上記固定画像との境界をなす分割線に対して斜め方向に移動させる分割画像移動手段と、上記分割画像移動手段によって移動した移動可能画像と上記固定画像とが重なった部分には該固定画像が表示されるように、上記移動可能画像および上記固定画像を表示部に表示させる表示制御手段と、を備えた表示装置と、を含むことを特徴とする画像表示システム。
【請求項８】
請求項１〜６のいずれか１項に記載の表示装置を動作させる表示装置の制御プログラムであって、コンピュータを上記の各手段として機能させるための表示装置の制御プログラム。
【請求項９】
請求項８に記載の表示装置の制御プログラムを記録したコンピュータ読み取り可能な記録媒体。
【請求項１０】
１つの元画像から分割された複数の分割画像を取得する分割画像取得ステップと、
上記分割画像取得ステップで取得した分割画像のうちの１つである移動可能画像を、該移動可能画像以外の上記分割画像である固定画像と重ねるように、上記移動可能画像と上記固定画像との境界をなす分割線に対して斜め方向に移動させる分割画像移動ステップと、
上記分割画像移動ステップによって移動した移動可能画像と上記固定画像とが重なった部分には該固定画像が表示されるように、上記移動可能画像および上記固定画像を表示部に表示させる表示制御ステップと、を含むことを特徴とする表示装置の制御方法。
【発明の詳細な説明】
【技術分野】
【０００１】
本発明は、１つの画像から分割された画像のうちの１つの画像を、分割された他の画像と重なるように移動して表示する表示装置、画像表示システム、表示装置の制御方法、制御プログラムおよび記録媒体に関するものである。
【背景技術】
【０００２】
近年、会議やプレゼンテーションにおいて、情報機器を用いて電子データの情報を表示することにより、議題とする内容やプレゼンテーションしようとする内容を、会議やプレゼンテーションの参加者に提示することが広く行われている。
【０００３】
情報機器を用いて表示を行うことで、提示する内容に表示効果を与えたり、内容を選択表示させたり、一覧表示させたりすることが容易となる。
【０００４】
また、表示させる方法も多様であり、例えば特許文献１には、表示画面よりも大きい表示サイズの表示データを分割して表示させる技術が開示されている。
【０００５】
具体的に図１０を用いて説明する。図１０は、特許文献１に記載の技術において、画面を分割するときの様子を示す説明図である。特許文献１では、図１０（ａ）に示すように表示画面に十字状カーソル７０５を表示し、該十字状カーソル７０５によって表示領域を分割する。分割された表示領域それぞれにおいて編集・校正が可能である。また、図１０（ｂ）に示すように、分割された画面をそれぞれ縮小することができる。さらに、図１０（ｃ）に示すように、行と列とからなる表の形式で表示されているデータにおいて、分割された、隣接する表示領域を、行方向または桁（列）方向に連動させて表示する。
【０００６】
また、特許文献２には、プレゼンテーションにおいて、参加者による入力情報を解析した結果を、視覚的表現を用いて発表者に提供する技術が開示されている。
【先行技術文献】
【特許文献】
【０００７】
【特許文献１】特開平７−１１０７５３号公報（１９９５年４月２５日公開）
【特許文献２】特開平７−２００４４０号公報（１９９５年８月４日公開）
【発明の概要】
【発明が解決しようとする課題】
【０００８】
しかしながら、上記従来の構成では、以下の問題を生じる。具体的には、特許文献１に記載の技術では、表示領域を分割し、それぞれの表示領域において編集・構成を可能とするとともに、行方向または列方向に隣接する表示領域を連動して表示させるのみなので、表示された画像を分割し、分割された画像の１つを任意の方向に移動させて、分割された他の画像と重ねて表示することができない。
【０００９】
なお、特許文献２には、表示された画像を分割し、移動することについては何ら開示されていない。
【００１０】
本発明は、上記の問題点に鑑みてなされたものであり、その目的は、表示された画像を分割し、分割した画像の１つを他の画像と重なるように容易に移動して表示できる表示装置等を実現することにある。
【課題を解決するための手段】
【００１１】
上記課題を解決するために、本発明に係る表示装置は、１つの元画像から分割された複数の分割画像を取得する分割画像取得手段と、上記分割画像取得手段が取得した分割画像のうちの１つである移動可能画像を、該移動可能画像以外の上記分割画像である固定画像と重ねるように、上記移動可能画像と上記固定画像との境界をなす分割線に対して斜め方向に移動させる分割画像移動手段と、上記分割画像移動手段によって移動した移動可能画像と上記固定画像とが重なった部分には該固定画像が表示されるように、上記移動可能画像および上記固定画像を表示部に表示させる表示制御手段と、を備えていることを特徴としている。
【００１２】
また、本発明に係る表示装置の制御方法は、１つの元画像から分割された複数の分割画像を取得する分割画像取得ステップと、上記分割画像取得ステップで取得した分割画像のうちの１つである移動可能画像を、該移動可能画像以外の上記分割画像である固定画像と重ねるように、上記移動可能画像と上記固定画像との境界をなす分割線に対して斜め方向に移動させる分割画像移動ステップと、上記分割画像移動ステップによって移動した移動可能画像と上記固定画像とが重なった部分には該固定画像が表示されるように、上記移動可能画像および上記固定画像を表示部に表示させる表示制御ステップと、を含むことを特徴としている。
【００１３】
上記の構成または方法によれば、分割線によって分割された分割画像の１つである移動可能画像を、該分割線に対して斜め方向に移動させることによって、分割画像の残りの画像である固定画像と重ねて表示することができる。
【００１４】
これにより、移動可能画像を分割線に対して斜めに移動させることができるので、分割線に対して垂直または平行にしか移動できない場合と比較して容易かつ素早く移動可能画像を固定画像と重ねるように移動させることができる。
【００１５】
また、元画像では離れた位置に表示されていた内容の一方が移動可能画像に含まれ、他方が固定画像に含まれるように元画像を分割することにより、移動可能画像に含まれている内容と固定画像に含まれている内容とを近づけて表示することができる。これにより、ユーザは、元画像では離れた位置に表示されていたために比較しずらかった内容を容易に比較することができる。
【００１６】
本発明に係る表示装置では、上記元画像を取得する元画像取得手段と、上記元画像取得手段が取得した元画像を分割線によって分割して、上記複数の分割画像を作成する分割画像作成手段と、を備え、上記分割画像取得手段は、上記分割画像作成手段が作成した分割画像を取得するものであってもよい。
【００１７】
上記の構成によれば、分割画像作成手段が、元画像を分割するので、自装置で画像を分割することができる。よって、自装置以外の他の装置で画像を分割する必要がなくなる。
【００１８】
本発明に係る表示装置では、上記分割線の位置を示す情報である分割線情報を取得する分割線情報取得手段を備え、上記分割画像作成手段は、上記分割線情報取得手段が取得した分割線情報が示す分割線によって、上記元画像を分割するものであってもよい。
【００１９】
上記の構成によれば、分割線情報取得手段が分割線の位置を示す分割線情報を取得し、分割画像作成手段は、該分割線情報が示す分割線によって元画像を分割するので、分割線の位置を指定することができる。これにより、分割線の位置を指定することにより、任意の位置で画像を分割することができる。
【００２０】
よって、ユーザは、分割線の位置を指定することにより、所望の位置で画像を分割することができる。
【００２１】
なお、分割線情報としては、分割線の位置を示すものであればよい。例えば、具体的な線の位置を直接、画面で指定するものであってもよいし、点の位置を指定するものであってもよい。点の位置を指定された場合は、指定されて点を含む直線によって画像が分割されるとすればよい。
【００２２】
本発明に係る表示装置では、上記分割画像取得手段が、行列によって表現された元画像が、行方向の行方向分割線と列方向の列方向分割線とを上記分割線として、４つに分割された分割画像を取得したとき、上記表示制御手段は、上記分割画像移動手段が上記移動可能画像を移動させると、該移動可能画像と上記行方向分割線を挟んで隣接している分割画像を、該移動可能画像の行方向の移動距離と同距離だけ、行方向に移動させるとともに、該移動可能画像と上記列方向分割線を挟んで隣接している分割画像を、該移動可能画像の列方向の移動距離と同距離だけ、列方向に移動させて、表示させるものであってもよい。
【００２３】
上記の構成によれば、行列によって表現された元画像が、行方向分割線と列方向分割線とによって４つに分割されたときに、移動可能画像の移動に伴って、該移動可能画像と行方向分割線を挟んで隣接している分割画像が、該移動可能画像の行方向における移動方向と同方向に同距離だけ、移動するとともに、該移動可能画像と上記列方向分割線を挟んで隣接している分割画像が、該移動可能画像の列方向における移動方向と同方向に同距離だけ、移動する。
【００２４】
これにより、移動可能画像と隣接している分割画像に含まれる、移動可能画像に含まれる内容と対応している内容が、移動可能画像の移動に対応して移動するので、移動可能画像のみが移動することにより、移動可能画像と移動可能画像に隣接している分割画像とが対応しなくなることを防止することができる。
【００２５】
例えば、行列によって表示された画像が、４×４のマスによって作成され、上から１行目、２行目…、左からＡ列、Ｂ列…とした場合を考える。この画像において、Ｂ列１行目に「４月」、Ｃ列１行目に「５月」、Ｄ列１行目に「６月」と記載され、Ａ列２行目に「テレビ」、Ａ列３行目に「ラジオ」、Ａ列４行目に「ビデオ」と記載され、Ｂ列の２行目に４月のテレビの売り上げ数、Ｂ列の３行目に４月のラジオの売り上げ数、というように他のマスも同様に記載されているとする。この画像において、Ａ列とＢ列との間の行方向の線と１行目と２行目との間の列方向の線とによって、画像を分割し、Ｂ列２行目からＤ列４行目までを含む画像を移動可能画像とすると、移動可能画像が移動することにより、１行目のＢ列以降を含む画像と、Ａ列の２行目以降を含む画像とが、移動可能画像に対応して移動する。これにより、移動可能画像のみが移動することにより、１行目に記載されている「月」やＡ列に記載されている「製品」と移動可能画像に記載されている「売り上げ数」とが対応しなくなることを防止することができる。
【００２６】
本発明に係る表示装置では、上記表示制御手段は、上記移動可能画像の表示色と、上記固定画像の表示色とを異ならせるものであってもよい。
【００２７】
上記の構成によれば、表示制御手段は、移動可能画像と固定画像とを異なった色で表示する。これにより、ユーザは、移動可能画像と固定画像とを容易に区別することができる。
【００２８】
本発明に係る表示装置では、上記移動可能画像の倍率変更指示を受け付ける受付部と、上記受付部が上記倍率変更指示を受け付けると、上記移動可能画像の倍率が変更された画像である倍率変更画像を作成するとともに、上記固定画像の倍率変更画像を、上記移動可能画像の倍率変更画像と同じ倍率で作成する倍率変更画像作成手段と、を備え、上記表示制御手段は、上記倍率変更画像作成手段が作成した上記移動可能画像の倍率変更画像および上記固定画像の倍率変更画像を、倍率変更する前の上記移動可能画像および上記固定画像と同じ配置で上記表示部に表示させるものであってもよい。
【００２９】
上記の構成によれば、倍率変更画像作成手段は、移動可能画像の倍率変更画像と固定画像の倍率変更画像とを同じ倍率で作成し、表示制御手段は、移動可能画像の倍率変更画像と固定画像の倍率変更画像を、倍率変更前と同じ配置で表示させる。
【００３０】
これにより、移動可能画像のみが倍率変更され、倍率変更された移動可能画像と倍率変更されない固定画像とが表示されることにより、移動可能画像に含まれる内容と固定画像に含まれる内容とが対応しなくなるということを防止することができる。
【００３１】
上記課題を解決するために、本発明に係る画像表示システムは、１つの元画像から分割された複数の分割画像を送信するデータ送信部を備えたサーバ装置と、上記データ送信部から送信された、上記分割画像を取得する分割画像取得手段と、上記分割画像取得手段が取得した分割画像のうちの１つである移動可能画像を、該移動可能画像以外の上記分割画像である固定画像と重ねるように、上記移動可能画像と上記固定画像との境界をなす分割線に対して斜め方向に移動させる分割画像移動手段と、上記分割画像移動手段によって移動した移動可能画像と上記固定画像とが重なった部分には該固定画像が表示されるように、上記移動可能画像および上記固定画像を表示部に表示させる表示制御手段と、を備えた表示装置と、を含むことを特徴としている。
【００３２】
上述した画像表示システムであっても、上記効果を奏することができる。
【００３３】
なお、上記表示装置は、コンピュータによって実現してもよく、この場合には、コンピュータを上記各手段として動作させることにより上記表示装置をコンピュータにて実現させる表示装置の制御プログラム、およびそれを記録したコンピュータ読み取り可能な記録媒体も、本発明の範疇に入る。
【発明の効果】
【００３４】
以上のように、本発明に係る表示装置は、１つの元画像から分割された複数の分割画像を取得する分割画像取得手段と、上記分割画像取得手段が取得した分割画像のうちの１つである移動可能画像を、該移動可能画像以外の上記分割画像である固定画像と重ねるように、上記移動可能画像と上記固定画像との境界をなす分割線に対して斜め方向に移動させる分割画像移動手段と、上記分割画像移動手段によって移動した移動可能画像と上記固定画像とが重なった部分には該固定画像が表示されるように、上記移動可能画像および上記固定画像を表示部に表示させる表示制御手段と、を備えている構成である。
【００３５】
また、本発明に係る表示装置の制御方法は、１つの元画像から分割された複数の分割画像を取得する分割画像取得ステップと、上記分割画像取得ステップで取得した分割画像のうちの１つである移動可能画像を、該移動可能画像以外の上記分割画像である固定画像と重ねるように、上記移動可能画像と上記固定画像との境界をなす分割線に対して斜め方向に移動させる分割画像移動ステップと、上記分割画像移動ステップによって移動した移動可能画像と上記固定画像とが重なった部分には該固定画像が表示されるように、上記移動可能画像および上記固定画像を表示部に表示させる表示制御ステップと、を含む方法である。
【００３６】
これにより、移動可能画像を分割線に対して斜めに移動させることができるので、分割線に対して垂直または平行にしか移動できない場合と比較して容易かつ素早く移動可能画像を固定画像と重ねるように移動させることができるという効果を奏する。
【００３７】
また、元画像では離れた位置に表示されていた内容の一方が移動可能画像に含まれ、他方が固定画像に含まれるように元画像を分割することにより、移動可能画像に含まれている内容と固定画像に含まれている内容とを近づけて表示することができる。これにより、ユーザは、元画像では離れた位置に表示されていたために比較しずらかった内容を容易に比較することができるという効果を奏する。
【図面の簡単な説明】
【００３８】
【図１】本発明の実施の形態を示すものであり、画像表示システムの要部構成を示すブロック図である。
【図２】上記画像表示システムの全体構成を示す説明図である。
【図３】上記画像表示システムに含まれるサーバ装置および表示装置の概略構成を示すブロック図である。
【図４】上記表示装置の表示部に表示された画像が分割され、分割後に、内容画像の表示位置が移動する様子を示す説明図である。
【図５】上記画像表示システムにおける処理の流れを示すフローチャートである。
【図６】上記表示装置の表示部に表示されている画像が拡大される様子を示す説明図である。
【図７】上記表示装置の表示部に表示された画像が拡大され、移動する様子を示す説明図である。
【図８】上記サーバ装置の分割画像作成部が画像を分割する様子を示す説明図である。
【図９】本発明の他の実施の形態に係る画像表示装置の機能ブロック図である。
【図１０】従来技術において、表示領域が分割される様子を示す説明図である。
【発明を実施するための形態】
【００３９】
本発明の一実施の形態について図１から図８に基づいて説明すれば、以下のとおりである。図１は、本実施の形態に係る画像表示システム１の機能ブロック図である。画像表示システム１は、サーバ装置２および表示装置３を含み、サーバ装置２において取得または作成した、行と列とからなる表の形式の画像を、所望の点を含む行方向の線（分割線、行方向分割線）および、該所望の点を含む列方向の線（分割線、列方向分割線）によって、４つに分割し、４つに分割した画像それぞれに対応する画像を作成する。ここで、作成した４つの画像をそれぞれ、交点画像（固定画像）、行画像（固定画像）、列画像（固定画像）、および内容画像（移動可能画像）と呼ぶ。交点画像とは、４つに分割された画像のうち、行番号および列番号が小さくなる位置（表示画面上において、ユーザから見て左上）に対応する画像である。行画像とは、４つに分割された画像のうち、行番号が大きくなり、列番号が小さくなる位置（表示画面上において、ユーザから見て左下）に対応する画像である。列画像とは、４つに分割された画像のうち、行番号が小さくなり、列番号が大きくなる位置（表示画面上において、ユーザから見て右上）に対応する画像である。内容画像とは、４つに分割された画像のうち、行番号および列番号が大きくなる位置（表示画面上において、ユーザから見て右下）に対応する画像である。
【００４０】
なお、本明細書では、行と列とからなる表の形式の画像を用いて、画像を分割、表示する例について説明するが、本発明はこれに限られるものではない。画像であれば、表の形式に限られずどのようなものであってもよい。また、表形式の画像でない場合は、画像が表示されたときの、所望の点を含む天地方向の線と、所望の点を含む天地方向と垂直な方向の線とによって画像を分割する。
【００４１】
そして、作成した画像の元となった画像の、分割前の画像（全体画像、元画像）における位置を示す位置情報と作成した画像とを対応付けた情報である分割画像情報を表示装置３に送信することによって、表示装置３において、４つの画像を、全体画像と同じように表示する。分割画像情報は、画像情報と位置情報とが１対１で対応付けられたものである。
【００４２】
その後、全体画像と同じように表示された４つの画像のうち、内容画像をユーザの指示によって移動させ、内容画像とこれ以外の画像とが重なった場合は、内容画像以外の画像が表示され、内容画像における内容画像以外の画像と重なった部分は表示されない。
【００４３】
これにより、内容画像の任意の位置とこれ以外の画像とをユーザの所望の位置関係とすることができるので、ユーザは、内容画像の任意の位置に表示されている内容とこれ以外の画像との比較を容易に行うことができる。具体的には、内容画像のうち、行画像および列画像から離れた位置の領域に表示されていた内容を、行画像および列画像に近づけて表示させることができる。よって、ユーザは、行画像および列画像から離れた位置の領域に表示されていた内容と行画像および列画像とが近づいた状態でそれぞれを認識することができ、両者を容易に比較することができる。
【００４４】
なお、本発明は、図１に示すような、サーバ装置２と表示装置３とを含む画像表示システム１によって実現してもよいし、画像表示システム１と同様の機能を１つの装置で果たす、図９に示すような画像表示装置（表示装置）１０によって実現してもよい。
【００４５】
次に、図２を用いて、本実施の形態に係る画像表示システム１の全体構成を説明する。図２は、本実施の形態に係る画像表示システム１の全体構成を示す説明図である。図２に示すように、本実施の形態では、１台のサーバ装置２と複数の表示装置３とが接続されたシステムである。なお、本明細書では、サーバ装置２は１台として説明するが、複数台存在するものであってもよい。また、表示装置３は複数台を備えたものとして説明するが１台であってもよい。
【００４６】
そして、画像表示システム１では、表示装置３の表計算ソフト等によって作成された表形式データ等をサーバ装置２に送信する。サーバ装置２は、受信した表形式データ等を画像に変換するとともに、所定の線（分割線）によって該画像を分割し、分割した画像に対応する分割画像を作成する。そして、分割画像とその位置を示す位置情報とを１対１で対応付けた分割画像情報を、表示装置３へ送信する。分割画像と位置情報とを受信した表示装置３は、それぞれの分割画像を位置情報が示す位置に表示する。なお、画像表示システム１における詳細な処理の流れについては、後述する。
【００４７】
また、画像表示システム１は、プレゼンテーションシステムに適用することができる。プレゼンテーションシステムに適用した場合に、複数存在する表示装置３のうちの１台を発表者端末とし、他の表示装置３を参加者端末としてもよい。そして、上述した表形式データや、後述する各種指示（分割指示、拡大指示（倍率変更指示））等のサーバ装置２に対する送信は、該発表者端末に限り可能とし、参加者端末は、サーバ装置２が作成した画像の取得のみが可能とする。これにより、プレゼンテーションの発表者は、参加者によって、表示内容を可変されることなく表示内容を操作することが可能となる。
【００４８】
次に、図１を用いて、画像表示システム１におけるサーバ装置２および表示装置３の機能ブロックついて説明する。
【００４９】
まず、サーバ装置２は、データ取得部（元画像取得手段、分割線情報取得手段）２１、分割画像作成部（分割画像作成手段）２２、倍率変更画像作成部（倍率変更画像作成手段）２３、画像データ変換部２４、データ送信部２５、画像データ記憶部２６、分割画像記憶部２７、および倍率変更画像記憶部２８を含む構成である。
【００５０】
データ取得部２１は、表示装置３の送受信部３１から各種データ、例えば、表示装置３が作成したファイルデータ、表示装置３が取得した分割点（後述する）を示すデータ、表示装置３が取得した拡大・縮小等のユーザの指示を示すデータ等を取得する。
【００５１】
そして、取得したデータがファイルデータ（例えば、表計算ソフトによって作成された表形式データ）であれば、該ファイルデータを画像データ変換部２４へ送信する。また、取得したデータが、上記分割指示を示すデータであれば、該データを分割画像作成部２２へ送信する。また、取得したデータが、画像の拡大・縮小指示を示すデータであれば、該データを倍率変更画像作成部２３へ送信する。
【００５２】
画像データ変換部２４は、データ取得部２１から表形式データ等のファイルデータを取得すると、該ファイルデータを画像データに変換し、画像データ記憶部２６へ記憶する。
【００５３】
画像データ記憶部２６は、画像データ変換部２４によって変換された画像データを記憶している。
【００５４】
分割画像作成部２２は、データ取得部２１から分割指示を示すデータを取得すると、該分割指示に含まれる分割点（後述する）の情報から、該分割点を含む行方向の線（分割線）と、該分割点を含む列方向の線（分割線）によって、画像データ記憶部２６に記憶されている画像を分割する。そして、分割した４つの画像に対応する分割画像と、該分割画像の元になった画像が分割される前に表示されていた位置を示す位置情報とを対応付けて分割画像記憶部２７へ記憶する。具体的には、交点画像が全体画像における左上、行画像が全体画像における左下、列画像が全体画像における右上、内容画像が全体画像における右下となるように対応付けられる。
【００５５】
分割画像記憶部２７は、分割画像作成部２２によって作成された分割画像とその位置情報とを対応付けて記憶している。
【００５６】
倍率変更画像作成部２３は、データ取得部２１から画像の拡大・縮小指示を示すデータを取得すると、分割画像記憶部２７に記憶されている分割画像を拡大または縮小した拡大（縮小）画像を作成し、該分割画像と対応付けられていた位置情報を、拡大（縮小）画像と対応付けて倍率変更画像記憶部２８へ記憶する。
【００５７】
倍率変更画像記憶部２８は、倍率変更画像作成部２３によって作成された拡大（縮小）画像とその位置情報とを対応付けて記憶している。
【００５８】
データ送信部２５は、画像データ記憶部２６に記憶している画像、分割画像記憶部２７に記憶している分割画像および位置情報、倍率変更画像記憶部２８に記憶している拡大（縮小）画像および位置情報を表示装置３へ送信する。
【００５９】
次に、表示装置３は、送受信部（分割画像取得手段）３１、表示画像制御部（分割画像移動手段、表示制御手段）３２、操作受付部（受付部）３３、表示部３４、および表示画像記憶部３５を含む構成である。
【００６０】
操作受付部３３は、表示装置３に対するユーザの操作を受け付け、受け付けた内容を示す情報を送受信部３１および表示画像制御部３２へ送信する。具体的には、作成した表形式データのサーバ装置２への送信、サーバ装置２によって作成された画像の分割指示および、分割点の指定指示、分割された画像の拡大指示、分割された画像の１つに対する移動指示等を受け付ける。
【００６１】
送受信部３１は、操作受付部３３によって受け付けた操作内容を示すデータや、表示装置３によって作成したファイルデータ等をサーバ装置２へ送信する。
【００６２】
表示画像制御部３２は、操作受付部３３から、画像の移動指示を示す情報を取得すると、対応する画像（内容画像に対応する分割画像または拡大（縮小）画像）の表示部３４における表示位置を移動させる。すなわち、表示画像制御部３２は、内容画像に対応する分割画像の表示位置を、分割線に対して斜め方向を含む任意の方向へ移動させる。また、表示位置を移動させた画像（内容画像（分割画像、移動可能画像）５４）と他の画像（交点画像（分割画像、固定画像）５１、列画像（分割画像、固定画像）５２、行画像（分割画像、固定画像）５３）とが重なった場合、表示位置を移動させた画像のうち、他の画像と重なった部分は、他の画像を表示させる。
【００６３】
具体的に、図４を用いて説明する。図４は、表示部３４に表示された画像が分割され、分割後に、内容画像の表示位置が移動する様子を示す説明図である。
【００６４】
図４(ａ)は、表示部３４に全体画像５０が表示されている状態を示している。この状態において、図４（ｂ）に示すように、分割点５５が指定されると、図４（ｃ）に示すように、分割点５５を含む天地方向の線（行方向分割線（分割線）５６）と、行方向分割線５６と垂直な線（列方向分割線（分割線）５７）とによって４つに分割された画像に対応する、交点画像５１、列画像５２、行画像５３、および内容画像５４が表示される。そして、図４（ｄ）に示すように、内容画像５４の表示位置を、交点画像５１・列画像５２・行画像５３と重なるように、行方向分割線５６および列方向分割線５７に対して斜め方向に移動させると、内容画像５４と、交点画像５１・列画像５２・行画像５３と重なる部分については、内容画像５４は表示されず、交点画像５１、列画像５２、行画像５３が表示される。なお、交点画像５１、列画像５２、および行画像５３が重なった場合は、交点画像５１が表示される。
【００６５】
なお、表示画像制御部３２は、内容画像５４の表示位置が移動したときに、内容画像５４の行方向の移動距離と同距離だけ、内容画像５４の行方向における移動方向と同方向に行画像５３を移動させるとともに、内容画像５４の列方向の移動距離と同距離だけ、内容画像５４の列方向における移動方向と同方向に列画像５２を移動させて表示させるものであってもよい。
【００６６】
また、表示画像制御部３２は、交点画像５１、列画像５２、および行画像５３に対して、内容画像５４とは異なる色で表示させるものであってもよい。これにより、ユーザは、表示位置が移動しない、交点画像５１、列画像５２、および行画像５３と、表示位置が移動する内容画像５４とを明確に区別して認識することができる。
【００６７】
表示部３４は、表示画像記憶部３５に記憶されている表示画像を表示画像制御部３２によって表示する。
【００６８】
表示画像記憶部３５は、送受信部３１を介してサーバ装置２から取得した、画像（全体画像、分割画像、拡大（縮小）画像）および位置情報を記憶している。
【００６９】
次に、図３を用いて、サーバ装置２および表示装置３の概略構成について説明する。図３は、サーバ装置２および表示装置３の概略構成を示すブロック図である。
【００７０】
まず、サーバ装置２は、ＣＰＵ（central processing unit）２０１、メモリ２１１、チップセット２１２、ＳＡＴＡ（serial advanced technology attachment）２１３、Ｅｔｈｅｒ  ＰＨＹ（physical layer）２１４、電源２１５、およびＨＤＤ（hard disk drive）２１６を含む構成である。そして、ＣＰＵ２０１は、キャッシュ２０２およびＣＰＵコア２０３を含む構成である。
【００７１】
そして、ＣＰＵ２０１、チップセット２１２、およびメモリ２１１が、図１に示したサーバ装置２の各機能ブロックに対応する。また、メモリ２１１が、図１に示したサーバ装置２の各記憶部に対応する。
【００７２】
次に、表示装置３は、ＣＰＵ３０１、メモリ３１１、チップセット３１２、グラフィックカード３１３、表示装置３１４、ＳＡＴＡ３１５、ＨＤＤ３１６、Ｅｔｈｅｒ  ＰＨＹ３１７、Ｉ／Ｏインタフェース３１８、キーボード／マウス３１９、およびタッチパネル／ペン３２０を含む構成である。そして、ＣＰＵ３０１は、キャッシュ３０２およびＣＰＵコア３０３を含む構成である。
【００７３】
そして、ＣＰＵ３０１、チップセット３１２、およびメモリ３１１が、図１に示した表示装置３の各機能ブロックに対応する。また、メモリ３１１が、表示装置３の表示画像記憶部３５に対応する。さらに、表示装置３１４が表示部３４に、キーボード／マウス３１９およびタッチパネル／ペン３２０が操作受付部３３に対応する。
【００７４】
次に、画像表示システム１における処理の流れを図５を用いて説明する。図５は、画像表示システム１における処理の流れを示すフローチャートである。なお、表示装置３からサーバ装置２へのデータを送信することをアップロード、表示装置３がサーバ装置２からデータを受信することをダウンロードと呼ぶ。
【００７５】
また、以下において、表示装置３が受け付けた指示をサーバ装置２へ送信する場合、複数ある表示装置３のいずれかが指示を受け付けるものとして記載したが、これに限られるものではない。例えば、上述したように、複数の表示装置３のうち、１台を発表者用端末とし、残りを参加者用端末として、発表者用端末のみ受け付けた指示をサーバ装置２に送信し、他の表示装置３は、サーバ装置２からデータを取得するのみの構成であってもよい。
【００７６】
まず、表示装置３は、自端末で作成したファイルデータをサーバ装置２へ送信（アップロード）する。そして、ファイルデータを取得したサーバ装置２の画像データ変換部２４は、ファイルデータを画像データに変換する（Ｓ１）。次に、表示装置３は、サーバ装置２によって変換された画像を取得する（Ｓ２、ダウンロード）。複数台の表示装置３が存在すれば、全ての表示装置３が画像を取得する。次に、表示装置３のいずれかが、ユーザから分割点の指定を受けると、サーバ装置２に対し分割点の座標を示すデータを送信する。そして、サーバ装置２が分割点の座標を取得すると（Ｓ３でＹＥＳ）、分割画像作成部２２は、全体画像５０を４分割し、それぞれの分割画像を作成する（Ｓ４）。なお、分割点の指定は、表示装置３からファイルデータをサーバ装置２へ送信するときに行ってもよい。また、分割点の指定は、座標の指定、画像上に対する直接指定によって可能であるし、また、ファイルデータが行と列とからなる表の形式であれば、行数および列数を指定することによっても可能である。
【００７７】
また、画像の分割は、４分割に限られるものではなく、２分割等であってもよい。
【００７８】
そして、サーバ装置２で作成された分割画像および位置情報を、表示装置３は取得し（Ｓ５、分割画像取得ステップ）、該位置情報が示す位置に分割画像を表示する。表示装置３は、サーバ装置２から取得した分割画像のうち、内容画像５４を移動可能に表示し、交点画像５１、列画像５２、および行画像５３を位置情報が示す位置に表示する（Ｓ６、表示ステップ）。また、内容画像５４が移動された場合は移動させて表示する（分割画像移動ステップ、表示制御ステップ）。また、交点画像５１、列画像５２、および行画像５３について、内容画像５４とは異なる色で表示する（Ｓ７）。なお、表示する色は、ユーザが指定できるものであってもよいし、予め定められていてもよい。
【００７９】
次に、表示装置３のいずれかが、ユーザから内容画像５４の拡大指示を受け付けると、サーバ装置２に対し拡大指示を示すデータを送信する。サーバ装置２が、拡大指示を示すデータを取得すると（Ｓ８でＹＥＳ）、倍率変更画像作成部２３は、交点画像５１、列画像５２、行画像５３、および内容画像５４を全て同じ倍率で拡大した拡大画像をそれぞれ作成する。そして、作成された拡大画像を表示装置３は取得し、表示する（Ｓ９）。
【００８０】
サーバ装置２が拡大指示を示すデータを取得しなければ（Ｓ８でＮＯ）、そのままステップＳ１０へ進む。
【００８１】
その後、表示装置３は、分割表示の終了を受け付けると、サーバ装置２へ分割表示の終了を示すデータを送信する。なお、分割表示の終了だけでなく、表示装置３で表示しているページの切り替え指示を受け付けたときにも、サーバ装置２へ分割表示の終了を示すデータを送信してもよい。そして、サーバ装置２は、分割表示の終了を示すデータを取得すると（Ｓ１０でＹＥＳ）、分割画像記憶部２７および倍率変更画像記憶部２８に記憶されている分割画像および拡大画像を廃棄して、全体画像を表示装置３へ送信する。そして、表示装置３は、取得した全体画像５０を表示する（Ｓ１１）。以上で、画像表示システム１における処理の流れ終了する。なお、分割画像および拡大画像の廃棄は必須ではなく、分割画像記憶部２７および倍率変更画像記憶部２８に記憶させたままでもよいし、所定時間経過後に廃棄するものであってもよい。
【００８２】
次に、画像が拡大される様子について、図６を用いて説明する。図６は、表示装置３の表示部３４に表示されている画像が拡大される様子を示す説明図である。
【００８３】
まず、図６（ａ）に、全体画像７１が表示されている状態を示す。このときに表示部３４の右下にズームボタン７５が表示される。この状態でズームボタン７５を選択すると、図６（ｂ）に示すように、倍率表示領域７６、縮小ボタン７７、および拡大ボタン７８
が表示されるとともに、交点画像８０１、列画像８０２、および行画像８０３の表示色が、内容画像８０４と異ならせて表示される。倍率表示領域７６は、横長の領域に丸表示がされており、拡大ボタン７８が選択されると、画像が拡大されるとともに、該丸表示が横長の領域の右側に移動する。また、縮小ボタン７７が選択されると、画像が縮小されるとともに、該丸表示が横長の領域の左側に移動する。
【００８４】
具体的には、図６（ｃ）に示すように、この状態で、拡大ボタン７８を選択すると、倍率表示領域７６における丸表示の位置が右側に移動するとともに、交点画像８０１、列画像８０２、行画像８０３、および内容画像８０４それぞれが拡大された画像が、拡大される前と同じ配置で表示される。また、表示領域よりも画像が大きいために、拡大された画像全てを表示することができない場合は、交点画像８０１の左上の位置が、拡大される前とされた後とで変更されないように画像が表示される。図６（ｃ）に示す例では、交点画像８０１、列画像８０２の左側の「４月」および「５月」の部分、行画像８０３の上側の「ＴＶ」、「ビデオ」、および「冷蔵庫」の部分、内容画像８０４の左上側の６マス部分が表示されている。なお、縮小ボタン７７、拡大ボタン７８の選択により拡大または縮小される倍率は、任意に設定することができる。
【００８５】
次に、表示された画像が拡大され、移動する様子について図７を用いて説明する。図７は、画像表示システム１において、表示された画像が拡大され、移動する様子を示す説明図である。
【００８６】
まず、図７（ａ）に示すような全体画像８１が表示部３４に表示されている。この状態で、図７（ｂ）に示すように、「販売台数」、「ＴＶ」、「４月」、および「３００００」と表示されている領域が挟んでいる位置を、分割点として指定すると、図７（ｃ）に示すように、分割画像作成部２２は、分割点を含む行方向の線（行方向分割線）および列方向の線（列方向分割線）によって、全体画像（元画像）８１を４つに分割する。そして、４つに分割した画像に対応する交点画像（分割画像、固定画像）８２、列画像（分割画像、固定画像）８３、行画像（分割画像、固定画像）８４、および内容画像（分割画像、移動可能画像）８５を作成する。そして、表示装置３は、交点画像８２、列画像８３、行画像８４、および内容画像８５を全体画像８１と同じように表示するとともに、交点画像８２、列画像８３、行画像８４の表示色を、内容画像８５の表示色と異ならせて表示する。
【００８７】
次に、サーバ装置２は、拡大指示を受けると、図７（ｄ）に示すように、サーバ装置２は、交点画像８２、列画像８３、行画像８４、および内容画像８５をそれぞれ拡大した拡大交点画像９２、拡大列画像９３、拡大行画像９４、および拡大内容画像９５を作成する。そして、表示装置３は、拡大交点画像９２、拡大列画像９３、拡大行画像９４、および拡大内容画像９５を、交点画像８２が表示されていたときの左上の位置と拡大交点画像９２の左上の位置との表示位置が一致するように、表示する。そして、この状態で拡大内容画像９５を、行方向分割線および列方向分割線に対し斜め方向に移動させると、図７（ｅ）に示すように、拡大内容画像９５の移動方向および距離に対応して、拡大列画像９３および拡大行画像９４も移動して表示される。
【００８８】
なお、上述した実施の形態では、分割点から分割線を決定する方法について記載したが、本発明はこれに限られるものではない。分割線は、実線や破線等の線によって与えられてもよいし、任意の２点を指定し、該２点を結ぶ直線を分割線としてもよい。また、表の形式の画像であれば、セルの境界を分割線としてもよい。
【００８９】
次に、上述した分割方法とは異なる分割方法について、説明する。この分割方法では、３点以上の分割点を取得し、取得した分割点が囲む領域とそれ以外の領域とに画像を分割し、一方の領域を他方の領域と重なるように移動して表示するものである。なお、分割する領域は、分割点によって指定されるだけでなく、線によって指定されるものであってもよい。また、線は直線に限られず、曲線等であってもよい。
【００９０】
具体的に、図８を用いて説明する。図８は、分割画像作成部２２が上述した方法とは異なる方法によって、画像を分割する場合の説明図である。
【００９１】
まず、図８（ａ）に示すように全体画像（元画像）９８が表示されている場合において、図８（ｂ）に示すように、サーバ装置２は複数の分割点９９ａ〜ｇを取得する。そして、サーバ装置２のデータ取得部（分割点取得手段）２１が複数の分割点９９ａ〜ｇを取得すると、分割画像作成部２２は、複数の分割点のうち、隣接する分割点同士を直線で結ぶことによってできる領域である固定領域１００とこれ以外との領域である移動領域１０１とに全体画像９８を分割する。その後、分割した固定領域１００および移動領域１０１に対応する分割画像（固定画像、移動画像）をそれぞれ作成する。この場合、固定領域１００に対応する分割画像を表示画面上で固定しつつ、移動領域１０１に対応する分割画像を表示画面上で移動させることができる。これにより、移動領域１０１に表示されていた内容を固定領域１００に表示されていた内容と近づけて表示することができる。
【００９２】
また、分割画像を拡大した状態を図８（ｃ）に示す。図８（ｃ）では、固定領域１００に対応する分割画像が拡大された画像の表示位置が変わらずに、移動領域１０１に対応する分割画像を拡大した画像が表示画面上を移動して表示されている。
【００９３】
これにより、全体画像９８の任意の領域を分割して、分割した領域の一方の表示位置を変更せずに、他方の領域の表示位置を移動させることができる。
【００９４】
なお、上述した内容は以下に示す構成として記載できる。
【００９５】
すなわち、表示装置（表示装置３）は、１つの元画像から、内側の分割画像の全周が外側の分割画像に囲われているように、内側の分割画像と外側の分割画像とに分割されたそれぞれの分割画像を取得する分割画像取得手段（送受信部３１）と、上記分割画像取得手段が取得した分割画像のうちの１つである移動可能画像を、該移動可能画像以外の上記分割画像である固定画像と重ねるように移動させる分割画像移動手段（表示画像制御部３２）と、上記分割画像移動手段によって移動した移動可能画像と上記固定画像とが重なった部分には該固定画像が表示されるように、上記移動可能画像および上記固定画像を表示部に表示させる表示制御手段（表示画像制御部３２）と、を備えているものである。
【００９６】
この構成によれば、内側の分割画像の全周が外側の分割画像に囲われているように、内側の分割画像と外側の分割画像とに分割された分割画像の１つである移動可能画像を、分割画像の残りの画像である固定画像と重ねて表示することができる。
【００９７】
これにより、容易に移動可能画像を固定画像と重ねるように移動させることができる。
【００９８】
よって、元画像では離れた位置に表示されていた内容の一方が移動可能画像に含まれ、他方が固定画像に含まれるように元画像を分割することにより、移動可能画像に含まれている内容と固定画像に含まれている内容とを近づけて表示することができる。これにより、ユーザは、元画像では離れた位置に表示されていたために比較しずらかった内容を容易かつ速やかにに比較することができる。
【００９９】
また、次に示す構成として記載することもできる。すなわち、サーバ装置２と表示装置３とを含む画像表示システム１において、サーバ装置２は、元画像を取得する元画像取得手段（データ取得部２１）と、領域を示す情報である領域情報を取得する領域情報取得手段（データ取得部２１）と、上記元画像取得手段が取得した元画像を、上記領域情報取得手段が取得した領域情報が示す領域を内側の分割画像として、内側の分割画像の全周が外側の分割画像に囲われているように、内側の分割画像と外側の分割画像とに分割して、それぞれの分割画像を作成する分割画像作成手段（分割画像作成部２２）と、上記分割画像作成手段が作成した分割画像を送信するデータ送信部２５を備え、表示装置３は、上記分割画像作成手段が作成した分割画像を取得する分割画像取得手段（送受信部３１）と、上記分割画像取得手段が取得した分割画像の一方である移動可能画像を、該移動可能画像以外の画像である固定画像と重ねるように移動させる分割画像移動手段（表示画像制御部３２）と、上記分割画像移動手段によって移動した移動可能画像と上記固定画像とが重なった部分には該固定画像が表示されるように、上記移動可能画像および上記固定画像を表示部に表示させる表示制御手段（表示画像制御部３２）と、を備えているものである。
【０１００】
この構成により、元画像の任意の領域を内側の分割画像として、内側の分割画像の全周が外側の分割画像に囲われているように、内側の分割画像と外側の分割画像とに分割することができる。そして、分割画像の一方である移動可能画像を移動可能画像以外の分割画像である固定画像と重ねるように移動させて表示することができる。
【０１０１】
これにより、元画像において離れた位置に表示されている２つの内容のうち、一方を固定画像に含まれるようにすれば、移動画像に含まれる他方の内容を、容易かつ素早く一方の内容に近づけて表示することができる。よって、２つの内容が、元画像上のどのような位置に表示されていても容易に近づけて表示することができる。したがって、ユーザは、比較したい２つの内容が、元画像のどのような位置に表示されていても、容易かつ速やかに両者を比較することができる。
【０１０２】
なお、上記では、サーバ装置２と表示装置３とを含む画像表示システム１を例に挙げて説明したが、本発明はこれに限られるものではない。例えば、サーバ装置２と表示装置３との機能を１つの装置によって果たす画像表示装置１０によって本発明が実現されてもよい。
【０１０３】
図９を用いて説明する。図９は、画像表示装置１０の機能ブロック図である。なお、サーバ装置２および表示装置３と同様の機能を有するブロックについては、サーバ装置２および表示装置３の機能ブロックと同じ番号を付している。
【０１０４】
図９に示すように、サーバ装置２および表示装置３と画像表示装置１０とで異なる点は、サーバ装置２と表示装置３との間で送受信を行っていたデータ送信部２５および送受信部３１が備えられていない代わりに、表示画像取得部（分割画像取得手段）３６が備えられている点である。
【０１０５】
表示画像取得部３６は、画像データ記憶部２６、分割画像記憶部２７、および倍率変更画像記憶部２８に記憶されている画像データを取得し、表示画像制御部３２に送信するものである。これにより、上述した画像表示システム１と同様の機能を果たすことができる。
【０１０６】
本発明は上述した実施の形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１０７】
最後に、画像表示システム１のサーバ装置２と表示装置３、および画像表示装置１０の各ブロック、特に分割画像作成部２２、倍率変更画像作成部２３、画像データ変換部２４、データ送信部２５、表示画像制御部３２、および表示画像取得部３６は、ハードウェアロジックによって構成してもよいし、次のようにＣＰＵを用いてソフトウェアによって実現してもよい。
【０１０８】
すなわち、画像表示システム１のサーバ装置２と表示装置３、および画像表示装置１０は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである画像表示システム１のサーバ装置２と表示装置３、および画像表示装置１０の制御プログラムのプログラムコード（実行形式プログラム、中間コードプログラム、ソースプログラム）をコンピュータで読み取り可能に記録した記録媒体を、上記の画像表示システム１のサーバ装置２と表示装置３、および画像表示装置１０に供給し、そのコンピュータ（またはＣＰＵやＭＰＵ（microprocessor unit））が記録媒体に記録されているプログラムコードを読み出し実行することによっても、達成可能である。
【０１０９】
上記記録媒体としては、例えば、磁気テープやカセットテープ等のテープ系、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital versatile disk）／ＣＤ−Ｒ（CD Recordable）等の光ディスクを含むディスク系、ＩＣカード（メモリカードを含む）／光カード等のカード系、あるいはマスクＲＯＭ／ＥＰＲＯＭ（erasable programmable read-only memory）／ＥＥＰＲＯＭ（electrically erasable and programmable read-only memory）／フラッシュＲＯＭ等の半導体メモリ系などを用いることができる。
【０１１０】
また、画像表示システム１のサーバ装置２と表示装置３、および画像表示装置１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、通信ネットワークを構成する伝送媒体としては、特に限定されず、例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１１】
本発明に係る画像表示システムは、１つの画像を分割した分割画像のうちの１つのを他の分割画像と重なるように移動させて表示することができるので、１つの画像の離れた位置に表示されている内容を隣接して表示させることができる。よって、離れた位置に表示されている内容を隣接して表示することにより、ユーザに対し比較を容易にする画像、例えば表計算の画像を表示する装置およびシステムに好適である。
【符号の説明】
【０１１２】
１    画像表示システム
２    サーバ装置
３    表示装置
１０    画像表示装置（表示装置）
２１    データ取得部（元画像取得手段、分割線情報取得手段）
２２    分割画像作成部（分割画像作成手段）
２３    倍率変更画像作成部（倍率変更画像作成手段）
２５    データ送信部
３１    送受信部（分割画像取得手段）
３２    表示画像制御部（分割画像移動手段、表示制御手段）
３３    操作受付部（受付部）
３４    表示部
３６    表示画像取得部（分割画像取得手段）
５０、７１、８１、９８    全体画像（元画像）
５１、８２    交点画像（分割画像、固定画像）
５２、８３    列画像（分割画像、固定画像）
５３、８４    行画像（分割画像、固定画像）
５４、８５    内容画像（分割画像、移動可能画像）
５６    行方向分割線（分割線）
５７    列方向分割線（分割線）
【図１】
2011070438.tif 000003
【図２】
2011070438.tif 000004
【図３】
2011070438.tif 000005
【図４】
2011070438.tif 000006
【図５】
2011070438.tif 000007
【図６】
2011070438.tif 000008
【図７】
2011070438.tif 000009
【図８】
2011070438.tif 000010
【図９】
2011070438.tif 000011
【図１０】
2011070438.tif 000012